【事件の表示】
　特許第３２７９３１４号「撮像装置」の請求項１に係る特許に対する特許異議の申立てについて、次のとおり決定する。
【結　論】
　訂正を認める。
　特許第３２７９３１４号の請求項１に係る特許を維持する。
【理　由】
１　手続の経緯
　本件特許３２７９３１４号の発明は、昭和６２年５月８日に出願された実願昭６２−６８５９０号の一部を新たな実用新案出願した実願平１１−４７５４号を特許出願に変更した特願２００１−３２２３６号の一部を新たな特許出願した特願２００１−６８９１７号の一部をさらに平成１３年９月２７日に新たな特許出願したものであって、平成１４年２月２２日にその特許の設定登録がなされ、その後、佐藤光男から特許異議の申立がなされ、取消理由が通知され、その指定期間内である平成１５年３月５日に訂正請求がなされたものである。
　
２　訂正の適否についての判断
（１）　訂正の内容
　特許権者が求めている訂正の内容は、以下のとおりの訂正事項である。
　（ア）特許請求の範囲の請求項１において、「上記撮像手段と上記表示手段とは、上記表示画面の前面方向又は後面方向の被写体を撮影することができるように一軸の水平支軸を中心に回動可能に構成され、」とあるのを、「上記撮像手段は、上記表示手段に対して、上記表示画面の前面方向又は後面方向の被写体を撮影することができるように、２点で支持された一軸の水平支軸を中心に回動可能に構成され、」と訂正する。
　（イ）発明の詳細な説明の項の、「撮像手段と表示手段とは、表示画面の前面方向又は後面方向の被写体を撮影することができるように一軸の水平支軸を中心に回動可能に構成され、」（段落６、特許公報２頁左欄１６行〜１９行）とあるのを、「撮像手段は、表示手段に対して、表示画面の前面方向又は後面方向の被写体を撮影することができるように、２点で支持された一軸の水平支軸を中心に回動可能に構成され、」と訂正する。
　（ウ）発明の詳細な説明の項の、「撮像手段と表示手段とが表示画面の前面方向又は後面方向の被写体を撮影することができるように一軸の水平支軸を中心に回動可能に構成されることによって、」（段落７、特許公報２頁左欄２３行〜２６行）とあるのを、「撮像手段は、表示手段に対して、表示画面の前面方向又は後面方向の被写体を撮影することができるように、２点で支持された一軸の水平支軸を中心に回動可能に構成されることによって、」と訂正する。
　
（２）　訂正の目的の適否、新規事項の有無及び拡張・変更の存否
　訂正事項（ア）は、特許明細書の実施例の、第１図とその説明部分（段落１０）の記載に基いて、特許明細書の特許請求の範囲の、「上記撮像手段と上記表示手段とは」を「上記撮像手段は、上記表示手段に対して」と限定し、「一軸の水平支軸を中心に回動可能に」を「２点で支持された一軸の水平支軸を中心に回動可能に」と限定したものであるので、特許請求の範囲の減縮を行うものである。
　訂正事項（イ）及び（ウ）は、特許請求の範囲の訂正にともない、対応する箇所を訂正するものであり、明りょうでない記載の釈明に該当する。
　よって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものではない。
　
（３）　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３　特許異議の申立についての判断
（１）　申立の理由の概要
　申立人佐藤光男は、証拠として、甲第１号証（特開昭６２−３５３２９号公報、以下「刊行物１」という。）を提出し、特許請求の範囲の請求項１に係る発明についての特許は、特許法第２９条第２項の規定に違反してなされたものであるので、特許を取り消すべきものと主張している。
　
（２）　本件発明
　上記訂正請求により訂正された訂正明細書の特許請求の範囲の請求項１に係る発明は、その請求項１に記載されたとおりのものである。
「【請求項１】　レンズを備える撮像手段と、
　上記撮像手段によって撮影された画像を表示する表示画面を備える表示手段とを有する撮像装置において、
　上記撮像手段は、上記表示手段に対して、上記表示画面の前面方向又は後面方向の被写体を撮影することができるように、２点で支持された一軸の水平支軸を中心に回動可能に構成され、
　上記撮像手段が上記表示画面の前面方向の被写体を撮影するときには、上記表示手段上に上記被写体の鏡面像を表示するように構成したことを特徴とする撮像装置。」
　
（３）　刊行物記載の発明
　本件請求項１に係る発明に対して、当審が通知した取消理由で引用した刊行物１は、「電子ファインダーカメラ」に関するもので、カメラの前面、後面のどちらからでも電子ファインダーを観察でき、カメラの前面から観察する時は後面から観察する時の左右逆に表示する旨が記載されている。
　また、刊行物１には、「回転可能になっているターンテーブル３７が設けられている。」（４頁左上欄１９行から２０行）及び「第１１図に示した状態はカメラの後面から電子ファインダー４を観察する通常撮影時を示している。この場合軸３８の先端はターンテーブル３７ｂに嵌合している。この場合第３図において説明した様に軸１９を中心としてファインダー３６を回動させればファインダー３６はカメラ後面から観察し易くなる。」（４頁右上欄１７行〜左下欄３行）と記載され、１１図及び１２図に、撮像レンズを含むカメラ本体と電子ファインダーとを、ターンテーブルの直交する軸中心に回動可能に構成することが図示されている。
　当審が通知した取消理由で引用した特開昭６１−１５０４７４号公報（以下「刊行物２」という。）には、カメラ部とモニタ部とが相対的に一軸で回動する（公報３頁右上欄、１図及び５図）ことが示されている。
　
（４）　対比・判断
　本件請求項１に係る発明は、刊行物１に記載された発明と対比すると、「撮像手段と表示手段とは、表示画面の前面方向又は後面方向の被写体を撮影することができるように回動可能に構成され、撮像手段が表示画面の前面方向の被写体を撮影するときには、表示手段上に被写体の鏡面像を表示するように構成した」点で共通している。
　しかしながら、撮像手段と表示手段との回動可能な構成が、本件請求項１に係る発明は、「撮像手段は、表示手段に対して、」「２点で支持された一軸の水平支軸を中心に回動可能」である構成（以下「構成Ａ」という。）を、必須の構成要件とするのに対して、刊行物１に記載された発明は、軸１９とターンテーブルの支軸との２つの軸により電子ファインダーを回動させて、表示画面の前面方向又は後面方向の被写体を撮影することができるようにするもので、上記構成Ａが記載されていないし、示唆もない。
  また、刊行物２に記載された軸は、２点で支持されたものでないので、上記構成Ａが記載されていないし示唆もない。
　上記構成Ａについて、いずれの刊行物にも記載されておらず、刊行物１及び２に記載されたものを組み合わせても具体的な構成を得ることはできない。そして、上記構成Ａにより、「撮像手段の向きに無関係に、表示手段の向きを表示が見やすいものにすることができる。また、この発明では、前面方向の被写体を撮影するときには、表示手段上に被写体の鏡面像を表示するので、表示画像を違和感無く見ることができる。」という明細書記載の顕著な効果を奏している。
　よって、本件請求項１に係る発明は刊行物１〜２に記載された発明に基づいて容易に発明をすることができたものではない。
４　むすび
　以上のとおりであるから、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１５年３月１８日（２００３．３．１８）
【訂正の要旨】
　▲１▼訂正事項ａ
　特許請求の範囲中で、特許請求の範囲の減縮を目的として、「上記撮像手段
は、
に対して
、２点で支持された
　▲２▼訂正事項ｂ
　発明の詳細な説明中で、訂正後の特許請求の範囲と発明の詳細な説明の記載とが対応するように、〔課題を解決するための手段〕の項を訂正する。
　▲３▼訂正事項ｃ
　発明の詳細な説明中で、訂正後の特許請求の範囲と発明の詳細な説明の記載とが対応するように、〔発明の効果〕の項を訂正する。
（５４）【発明の名称】
撮像装置
（５７）【特許請求の範囲】
　【請求項１】　レンズを備える撮像手段と、
　上記撮像手段によって撮影された画像を表示する表示画面を備える表示手段とを有する撮像装置において、
　上記撮像手段
は、
に対して
、２点で支持された
　上記撮像手段が上記表示画面の前面方向の被写体を撮影するときには、上記表示手段上に上記被写体の鏡面像を表示するように構成したことを特徴とする撮像装置。
【発明の詳細な説明】
　【０００１】
　【発明の属する技術分野】
　この発明は、撮像装置に関する。
　【０００２】
　【従来の技術】
　従来のカメラ一体型表示装置、例えば液晶ＴＶ付ムービーは、ＶＴＲで録画した内容をその場ですぐに再生しモニタ用の液晶テレビジョン（以下、モニタＴＶ）にて観察したり、或いはカメラからの映像をモニタＴＶに直接表示させて観察することができるものである。
　【０００３】
　このため、液晶ＴＶ付ムービーの用途は広く、例えば各種スポーツにおけるフォームの研究、着付け・化粧のチェック等にも用いることが可能である。このように着付け・化粧のチェックに、液晶ＴＶ付ムービーを用いる利点は、画面が縮小されているため、鏡でそのまま見るのと異なり、より客観的に自分自身を視認できることにある。
　【０００４】
　【発明が解決しようとする課題】
　しかしながら、撮像部が固定されていたので、撮影方向を変えるために、本体または表示部と共に、装置全体を動かす必要があり、撮影時に振れが生じ易い問題があった。また、撮像部と表示部とを回動可能とした場合に、液晶の表示は、見やすい角度が存在するので、撮像部を所望の被写体に向けた場合に、必ずしも表示が見やすいものとならない問題があった。
　【０００５】
　従って、この発明の目的は、撮像手段と表示手段とを回動可能にした場合に、表示手段の表示を見やすい状態に設定することが容易な撮像装置を提供することにある。
　【０００６】
　【課題を解決するための手段】
　上述した課題を解決するために、この発明は、レンズを備える撮像手段と、撮像手段によって撮影された画像を表示する表示画面を備える表示手段とを有する撮像装置において、撮像手段
は、
に対して
、２点で支持された
　【０００７】
　撮像手段
は、
に対して、
、２点で支持された
　【０００８】
　【発明の実施の形態】
　以下、この発明の一実施例について図面を参照して説明する。この実施例は、図１に示すように、ＶＴＲと液晶表示体（以下、ＬＣＤ）を備えた表示装置に対し、この発明を適用したものである。
　【０００９】
　このカメラ一体型表示装置は、カメラ部１と、画像表示素子としてのＬＣＤ２と、画像表示回路３と、ＶＴＲ部４と、キャビネットとしての本体５とから主に構成される。
　【００１０】
　カメラ部１は、被写体を捉えてカラー画像信号Ｓ１に変換し画像表示回路３に出力してＬＣＤ２により被写体を画像Ｐとして表示させ、或いは、カラー画像信号Ｓ１を音声信号と共にＶＴＲ部４に出力して図示せぬＶＴＲテープに記録させるものである。このカメラ部１は、上端部の水平支軸６に取付けられて水平支軸６の円周方向（矢示Ｃ方向）に回動自在とされレンズ収納部７を有するカメラ８と、このカメラ８と同軸状態で水平支軸６に取付けられ、カメラ８を円周方向（矢示Ｃ方向）に回動操作するための回動ツマミ９とからなる。
　【００１１】
　ＬＣＤ２は、画素Ｅを駆動させることで任意の画像Ｐを表示する。ＬＣＤ２は本体５の手前側の側面１０に配されており、その内部には、ｍ行の行電極Ｘとｎ列の列電極Ｙを有する。そして、画像Ｐの表示に当たっては、ｉ行目の行電極Ｘｉと、ｊ列目の列電極Ｙｊに画像表示回路３より供給される駆動信号ＳＭを印加して、その交点の画素Ｅｉｊを駆動させて行う。
　【００１２】
　画像表示回路３（図２参照）は、カメラ部１、ＶＴＲ部４或いは図示せぬＴＶチューナ部等より供給されるカラー映像信号Ｓ１を基に、駆動信号ＳＭと三原色信号（後述）を形成してＬＣＤ２に印加して画像Ｐを表示せしめるものである。この画像表示回路３は、信号処理回路１１と、同期制御回路１２と、ＬＣＤ駆動制御回路１３と、列電極選択駆動回路１４と、行電極選択駆動回路１５とから構成されている。信号処理回路１１は、端子１６から入力されるカメラ部１、ＶＴＲ部４、或いは図示せぬＴＶチューナ等からのカラー映像信号Ｓ１のＹＣ分離、色復調、マトリックス演算等の処理を行うもので、同期制御回路１２に対してはカラー映像信号Ｓ１に含まれる水平同期信号ＳＨ、垂直同期信号ＳＶを供給し、ＬＣＤ駆動制御回路１３に対してはカラー映像信号Ｓ１を赤（Ｒ），青（Ｂ），緑（Ｇ）の各原色信号に分離して供給する。
　【００１３】
　同期制御回路１２は、信号処理回路１１からの水平・垂直同期信号ＳＨ，ＳＶを基にＬＣＤ駆動制御回路１３に対してタイミング信号ＳＴを供給し、列及び行電極選択駆動回路１４，１５の夫々に対して水平・垂直同期信号ＳＨ，ＳＶに同期したクロック信号ＣＬＨ，ＣＬＶを供給する。
　【００１４】
　ＬＣＤ駆動制御回路１３は、原色信号Ｒ・Ｇ・Ｂより、その反転信号＊Ｒ・＊Ｇ・＊Ｂ（＊は反転を意味する）を形成すると共に、これら原色信号Ｒ・Ｇ・Ｂと＊Ｒ・＊Ｇ・＊Ｂとから形成される電圧Ｖ１，Ｖ２，Ｖ３を列電極選択駆動回路１４に印加している。
　【００１５】
　列電極選択駆動回路１４には、図３に示すように、同期制御回路１２からクロック信号ＣＬＨを受け、クロック信号ＣＬＨを計数するカウンタ１７が設けられている。このカウンタ１７は、加算方向（ｕｐ）又は減算方向（ｄｏｗｎ）の計数動作の可能な所謂ｕｐ／ｄｏｗｎカウンタである。
　【００１６】
　このカウンタ１７の計数方向を切り換えるため、カウンタ切換スイッチ１８が設けられている。このカウンタ切換スイッチ１８は、端子１９，２０，２１によって構成され、一方の端子２０には、Ｈレベルの電圧が加えられ、他方の端子２１はアースされてＬレベルとされている。このカウンタ１７は、端子１９と２０を接続する（即ち、Ｈレベル）ことでｕｐカウンタとなし、又端子１９と２１を接続する（即ち、Ｌレベル）ことでｄｏｗｎカウンタとなす。カウンタ１７より出力される２値信号がＢＣＤデコーダ２２に供給され、ＢＣＤデコーダ２２により列電極選択信号Ｓｒが形成される。更に列電極選択駆動回路１４には、列電極選択信号Ｓｒに基づいて対応する列電極Ｙを選択し列電極Ｙに駆動信号ＳＭを印加する駆動回路２３が設けられている。
　【００１７】
　行電極選択駆動回路１５は、列電極選択駆動回路１４と同様の構成であり、同期制御回路１２からのクロック信号ＣＬＶを計数するカウンタ２４と、カウンタ２４より出力される２値信号を基に行電極選択信号Ｓｃを出力するＢＣＤデコーダ２５と、カウンタ切換スイッチ２６と、駆動装置２７とからなる。上記カウンタ切換スイッチ２６は、カメラ８の回動と連動せしめられている。即ちカメラ８が前方向（矢示Ｆ方向）を向いている時には、端子２８，２９が接続されることでカウンタ２４をｕｐカウンタとし、又、カメラ８が後方向（矢示Ｂ方向）を向いている時には、端子２８，３０が接続されることでカウンタ２４をｄｏｗｎカウンタとする。尚、このカウンタ切換スイッチ２６の接続状態は、操作ボタン３１の操作により解除することもでき、このためカウンタ２４をｕｐカウンタ、ｄｏｗｎカウンタのいずれに設定するかが自在とされる。
　【００１８】
　ＶＴＲ部４は、本体５の下部に形成されているもので、カメラ部１、或いは図示せぬＴＶチューナより供給されるカラー映像信号Ｓ１を、音声信号と共に図示せぬＶＴＲテープに記録させるものである。また再生時には、ＶＴＲ部４より画像表示回路３にカラー映像信号Ｓ１を出力してＬＣＤ２に画像Ｐを表示させるものである。
　【００１９】
　次に、カメラ８を用いて、このカメラ一体型表示装置のＬＣＤ２に、通常の画像Ｐ及び鏡面像ＰＭを表示せしめる場合について説明する。
　【００２０】
　（１）通常の画像Ｐを表示せしめる場合
　図４に示す如く、カメラ８を被写体（図示せず）に向けると共に、カウンタ切換スイッチ１８の端子１９，２０を接続してカウンタ１７にＨレベルの電圧を印加してカウンタ１７をｕｐカウンタとする。一方、カウンタ切換スイッチ２６は、カメラ８が前方向（矢示Ｆ方向）を向いているので端子２８，２９が接続された状態となり、カウンタ２４はｕｐカウンタとされる。
　【００２１】
　ｕｐカウンタとされた行電極選択駆動回路１５のカウンタ２４に、クロック信号ＣＬＶが加えられると、クロック信号ＣＬＶをカウントすると共にこの計数値を２値信号でＢＣＤデコーダ２５に供給する。ＢＣＤデコーダ２５は、最初の２値信号から行電極選択信号Ｓｃを駆動回路２７に加える。駆動回路２７は、行電極選択信号Ｓｃにより第１行目の行電極Ｘ１を選択して駆動信号ＳＭを印加する。
　【００２２】
　ｕｐカウンタとされた列電極選択駆動回路１４のカウンタ１７にクロック信号ＣＬＨが加えられると、クロック信号ＣＬＨをカウントすると共にこの計数値を２値信号でＢＣＤデコーダ２２に供給する。ＢＣＤデコーダ２２は、最初の２値信号から列電極選択信号Ｓｒを駆動回路２３に加える。駆動回路２３は、列電極選択信号Ｓｒにより第１列目の列電極Ｙ１を選択して駆動信号ＳＭを印加する。
　【００２３】
　この結果、第１行目の行電極Ｘ１と第１列目の列電極Ｙ１の各々に駆動信号ＳＭが印加されその交点の画素Ｅ１，１が駆動せしめられる。
　【００２４】
　次のクロック信号ＣＬＨが列電極選択駆動回路１４のカウンタ１７に加えられると、カウンタ１７が加算方向にインクリメントして第２列目の列電極Ｙ２が列電極選択信号Ｓｒにて選択され駆動信号ＳＭが印加され画素Ｅ１，２が駆動される。このようにして第１行目の行電極Ｘ１と、これと交差する各列電極Ｙｊとの交点の画素Ｅ１，ｊの駆動が第１列から第ｎ列迄、増加する方向（列電極Ｙの増加方向、矢示ＹＵ方向）に行われた後、行電極選択駆動回路１５のカウンタ２４にクロック信号ＣＬＶが加えられると、カウンタ２４が加算方向にインクリメントした後、ＢＣＤデコーダ２５を経て第２行目の行電極Ｘ２を選択すべく行電極選択信号Ｓｃが駆動回路２７に出力され、駆動回路２７は行電極選択信号Ｓｃに基づいて第２行目の行電極Ｘ２に駆動信号ＳＭを加える。
　【００２５】
　第２行目の行電極Ｘ２も第１行目の行電極Ｘ１の場合と同様にして第１列から第ｎ列迄の各列電極Ｙｊに順次、駆動信号ＳＭが印加されて画素Ｅ２，１〜Ｅ２，ｎが駆動せしめられる。このようにして行電極Ｘは、第１行から第ｍ行迄行数が増加する方向（行電極Ｘの増加方向、矢示ＸＵ方向）に順次選択される。又一つの行電極Ｘｉに継続して駆動信号ＳＭが印加されている間、列電極Ｙｊは第１列から第ｎ列迄、列数が増加する方向（矢示ＹＵ方向）に順次選択されて駆動信号ＳＭが印加されることになる。これにより行電極Ｘｉと列電極Ｙｊの交点画素Ｅｉ，ｊが順次駆動される。この間、列電極選択駆動回路１４の駆動回路２３には、ＬＣＤ駆動制御回路１３より出力された原色信号に対応する電圧Ｖ１〜Ｖ３が加えられており、この電圧Ｖ１〜Ｖ３のレベルによって画素Ｅｉ，ｊの駆動時の色相、彩度、輝度が決定される。ＬＣＤ２の全画素Ｅ１，１〜Ｅｍ，ｎを駆動すると、画像Ｐが完成し、以上の処理を連続して繰り返すことで、動画像を実現し得る。
　【００２６】
　これにより、ＬＣＤ２には、前方向（矢示Ｆ方向）における被写体がそのままの状態で表示されることになる。
　【００２７】
　（２）鏡面像ＰＭを表示せしめる場合（図５及び図３に示す鏡面像ＰＭ参照）
　図５に示すように、このカメラ一体型表示装置を、鏡代わりに使用したい場合には、ＬＣＤ２に鏡面像ＰＭを表示せしめる。即ち、図５に示す如く、カメラ８を回動させて（矢示Ｃ方向）操作者Ｏｐｅ自身の側（即ち、後方向、矢示Ｂ方向）に向けると、カメラ８の向きと連動しているカウンタ切換スイッチ２６は、端子２８，３０が接続されてｄｏｗｎカウンタとされる。一方、カウンタ切換スイッチ１８は（１）と同様ｕｐカウンタのままにしておく。これは、カメラ８を操作者Ｏｐｅ自身の側（矢示Ｂ方向）に向けた場合、ＬＣＤ２では、垂直方向（矢示Ｖ方向）、水平方向（矢示Ｈ方向）の双方において反転するため、鏡面像ＰＭを得るには、垂直方向（矢示Ｖ方向）においてのみ反転させれば良いことによるものである。
　【００２８】
　行電極選択駆動回路１５のカウンタ２４は、ｄｏｗｎカウンタなので、カウンタ２４が第１回目のクロック信号ＣＬＶをカウントした時点で第ｍ行目の行電極Ｘｍが行電極選択信号Ｓｃにより選択され、行電極Ｘｍに駆動信号ＳＭが印加される。一方、列電極選択駆動回路１４は、カウンタ１７がｕｐカウンタなので、クロック信号ＣＬＨをカウントすると第１列目の列電極Ｙ１を選択して駆動信号ＳＭを印加する。これにより、第ｍ行目の行電極Ｘｍと第１列目の列電極Ｙ１とが選択され、各々駆動信号ＳＭが印加されて交点の画素Ｅｍ，１が駆動される。
　【００２９】
　そして、列電極選択駆動回路１４のカウンタ１７が次のクロック信号ＣＬＨに基づいて加算方向にインクリメントすると第２列目の列電極Ｙ２が選択され、駆動信号ＳＭが印加される。
　【００３０】
　このようにして第ｍ行目の行電極Ｘｍと、第１列目から第ｎ列に至る各列電極Ｙｊとの全ての交点の画素Ｅｍ，１〜Ｅｍ，ｎの駆動が矢示ＹＵ方向に行われた後、行電極選択駆動回路１５のカウンタ２４にクロック信号ＣＬＶが加えられると、ＢＣＤデコーダ２５を経て行電極選択信号Ｓｃが出力され、駆動回路２７より第ｍ−１行目の行電極Ｘｍ−１が選択されて駆動信号ＳＭが加えられる。
　【００３１】
　第ｍ−１行目の行電極Ｘｍ−１も、第ｍ行目の行電極Ｘｍと同様に、第１列から第ｎ列に向けて列電極Ｙｊが順次、選択されて各画素Ｅｍ−１，ｊを順次駆動する。
　【００３２】
　このようにして、行電極Ｘは第ｍ行から第１行迄、行数が減少する方向（行電極の減少方向、矢示ＸＤ方向）に順次選択され、又一つの行電極Ｘ１に継続して駆動信号ＳＭが印加されている間、列電極Ｙｊは第１列から第ｎ列に向けて列数が増加する方向（矢示ＹＵ方向）に順次選択されることになり、画素Ｅｉ，ｊを順次駆動する。
　【００３３】
　この結果、（１）に既述した順序で表示される画像Ｐが（２）では逆に第ｍ行から第１行にかけて行数の減少する方向に表示され且つ列方向の表示順序は同じであるため、（１）にて表示される画像Ｐを基準とすれば、これを垂直方向に反転させた状態の画像（即ち、鏡面像ＰＭ）が得られる。
　【００３４】
　この実施例によれば、カメラ部１を操作者Ｏｐｅ自身側（後方向）に向けた場合には、画像表示回路３の動作により、ＬＣＤ２に鏡面像ＰＭを表示でき、このカメラ一体型表示装置を鏡として用いることができるものである。又、この実施例では、カメラ部１を用いて鏡面像を得る例について説明しているが、ＶＴＲ再生時、ＴＶ受信時等においても同様に鏡面像を得ることができるものである。
　【００３５】
　尚、この実施例では、画像Ｐの反転を行わない場合と、画像Ｐを垂直方向に反転させた場合のみを説明しているが、カウンタ切換スイッチ１８，２６を操作することにより、以下に述べるように、垂直方向・水平方向の双方に反転して画像Ｐの表示状態を自在に変換できるものである。
　【００３６】
　（３）画像を水平方向に反転させた場合（行電極（ｕｐカウント）〜列電極（ｄｏｗｎカウント））
　この場合には、行電極選択駆動回路１５のカウンタ２４をｕｐカウンタとなし、列電極選択駆動回路１４のカウンタ切換スイッチ１８の端子１９と端子２１を接続しカウンタ１７にＬレベルの電圧を印加してｄｏｗｎカウンタとする。
　【００３７】
　これにより、行電極Ｘは第１行から第ｍ行迄、行数が増加する方向（矢示ＸＵ方向）に順次選択され、又一つの行電極Ｘｉに接続して駆動信号ＳＭが印加されている間、列電極Ｙｊは第ｎ列から第１列に向けて列数が減少する方向（列電極Ｙの減少方向、矢示ＹＤ方向）に順次選択されることになり、行電極Ｘｉと列電極Ｙｊの交点の画素Ｅｉ，ｊが順次駆動される。
　【００３８】
　この結果、（１）に既述した順序で表示される画像Ｐが、（３）では逆に第ｎ列から第１列にかけて列数の減少する方向に順次、表示されるため、（１）にて得られる画像Ｐを基準とすれば、これを水平方向に反転させた状態の画像が得られる。
　【００３９】
　（４）画像を水平方向・垂直方向に反転させた場合（行電極（ｄｏｗｎカウント）〜列電極（ｄｏｗｎカウント））
　この場合には、行・列両電極選択駆動回路１５，１４のカウンタ切換スイッチ１８，２６を操作してカウンタ２４、１７にＬレベルの電圧を印加して共にｄｏｗｎカウンタとする。
　【００４０】
　行・列両電極選択駆動回路１５，１４のカウンタ２４，１７は共にｄｏｗｎカウンタなので、両カウンタ２４，１７が第１回目のクロック信号ＣＬＨ，ＣＬＶをカウントした時点で、行電極Ｘは、第ｍ行目の行電極Ｘｍそして列電極Ｙは、第ｎ列目の列電極Ｙｎが選択され各々駆動信号ＳＭが印加される。
　【００４１】
　このようにして、行電極Ｘは第ｍ行から第１行迄、行数が減少する方向（矢示ＸＤ方向）に順次選択され、又一つの行電極Ｘｉに継続して駆動信号ＳＭが印加されている間、列電極Ｙｊは第ｎ列から第１列に向けて列数が減少する方向（矢示ＹＤ方向）に順次選択されることになり、行電極Ｘｉと列電極Ｙｊの交点の画素Ｅｉ，ｊが順次駆動される。
　【００４２】
　この結果、（４）では第ｍ行から第１行にかけて行数が減少する方向に、又第ｎ列から第１列にかけて列数の減少する方向に画像が順次、表示されるため、（１）にて得られる画像Ｐを基準とすれば、これを垂直・水平両方向に反転させた状態の画像が得られる。
　【００４３】
　尚、この発明は、本実施例のみに限定されるものでなく、単純マトリックス方式、アクティブマトリックス方式、更には二重マトリックス電極駆動方式のいずれにも適用が可能であり、又透過型のＬＣＤにのみ限定されるものではなく、あらゆる型のＬＣＤに適用が可能である。
　【００４４】
　【発明の効果】
　この発明によれば、撮像手段
は、
に対して
、２点で支持された
【図面の簡単な説明】
　【図１】
　この発明の一実施例を示す斜視説明図である。
　【図２】
　この一実施例に用いられるＬＣＤと画像表示回路を示すブロック図である。
　【図３】
　画像表示回路における行及び列電極選択駆動回路を示すブロック図である。
　【図４】
　このカメラ一体型表示装置の使用例を示す説明図である。
　【図５】
　このカメラ一体型表示装置の使用例を示す説明図である。
　【符号の説明】
　１：カメラ部、２：ＬＣＤ、３：画像表示回路、５：本体、１０：側面、Ｐ：画像、Ｖ：垂直方向、Ｈ：水平方向